(57)【要約】  本発明は、金属からなるベース基板を用いた配線基板において、電子部品を手作業で容易に半田付けできるようにするものであり、金属からなるベース基板２１と、ベース基板２１の上面２１ａに絶縁層２２を介して形成された配線導体層２３とを備える。また、配線導体層２３に、電子部品又は外部導線が半田付けされる個別半田付け領域Ｒ２が設けられている。そして、ベース基板２１の個別半田付け領域Ｒ２に対応する部分２１Ｘの全部又は一部が除去されている。
2016009830.tif 000002
【特許請求の範囲】
【請求項１】
金属からなるベース基板と、
前記ベース基板の一方の面に絶縁層を介して形成された配線導体層とを備え、
前記配線導体層に、電子部品又は外部導線が個別に半田付けされる個別半田付け領域が設けられており、
前記ベース基板の前記個別半田付け領域に対応する部分の全部又は一部が除去されている配線基板。
【請求項２】
前記ベース基板の前記個別半田付け領域に対応する部分の平面視における全部又は一部について、前記ベース基板の厚み方向における全部分が除去されている請求項１記載の配線基板。
【請求項３】
前記ベース基板の前記個別半田付け領域に対応する部分の平面視における全部又は一部について、前記ベース基板の厚み方向における一部分が除去されている請求項１記載の配線基板。
【請求項４】
前記ベース基板の前記除去部分には、前記ベース基板よりも熱伝導率が低い物質が充填されている請求項１記載の配線基板。
【請求項５】
前記配線導体層には、前記電子部品がリフロー処理により半田付けされるリフロー半田付け領域と、前記個別半田付け領域とが設けられている請求項１記載の配線基板。
【請求項６】
前記個別半田付け領域で折り曲げられている請求項１記載の配線基板。
【請求項７】
前記配線導体層が折り曲げられるものであり、
前記ベース基板における折り曲げ部分の全部又は一部が除去されている請求項１記載の配線基板。
【請求項８】
請求項１記載の配線基板と、
前記配線基板を保持する保持体と、
前記配線基板に実装された少なくとも１つのＬＥＤと、
前記配線基板の個別半田付け領域に半田付けされた外部導線とを備える光照射装置。
【請求項９】
前記配線基板が、前記外部導線を前記ベース基板の一方の面側から他方の面側に延出させるための切り欠き部又は貫通孔を有しており、
前記外部導線が、前記切り欠き部又は前記貫通孔を介して前記ベース基板の他方の面側に導かれ、前記保持体の外部に延出されている請求項８記載の光照射装置。
【発明の詳細な説明】
【技術分野】
【０００１】
本発明は、金属からなるベース基板上に絶縁層を介して配線導体層を形成した配線基板、及び当該配線基板を用いた光照射装置に関する。
【背景技術】
【０００２】
従来から、電子回路モジュールの製造方法として、特許文献１に示すように、例えばリフロー工程及び手半田工程を有するものが知られている。リフロー工程は、配線基板上に半田ペースト（クリーム半田）を塗り、その上に電子部品を載せて、リフロー炉を用いて配線基板を加熱して半田ペーストを溶融させ、その後冷却して半田付けする工程である。また、手半田工程は、前記リフロー工程では実装できない電子部品を、手作業で半田付けする工程である。【０００３】
ここで、配線基板のベース基板には、一般的に、例えばガラスエポキシ等の絶縁基板が用いられている。このような絶縁基板は熱伝導性が低く、手作業で半田付けする際に半田付けする部分及び半田が十分に加熱されるので、前記手半田工程において特に問題は生じない。【０００４】
その一方で、例えば、配線基板にＬＥＤを実装するような場合には、当該ＬＥＤから発生する熱を放熱すべく、そのベース基板にアルミニウム等の熱伝導性に優れた金属基板を用いることがある。このような金属基板を用いた場合、手作業で半田付けする際に、半田付けする部分に加えた熱がその周囲部分に伝熱され易い。その結果、半田付けする部分及び半田を十分に加熱し難く、手作業での半田付けが非常に困難であった。
【先行技術文献】
【特許文献】
【０００５】
【特許文献１】特開２００３−２２９６５５号公報
【発明の概要】
【発明が解決しようとする課題】
【０００６】
そこで本発明は、上記問題を解決すべくなされたものであり、金属からなるベース基板を用いた配線基板に、電子部品等を手作業や半田付けロボット等で半田付けするに当たり、その作業性を高めることをその主たる課題とするものである。
【課題を解決するための手段】
【０００７】
すなわち本発明に係る配線基板は、金属からなるベース基板と、前記ベース基板の一方の面に絶縁層を介して形成された配線導体層とを備え、前記配線導体層に、電子部品又は外部導線が半田付けされる個別半田付け領域が設けられており、前記ベース基板の前記個別半田付け領域に対応する部分の全部又は一部が除去されていることを特徴とする。
ここで、「前記ベース基板の前記個別半田付け領域に対応する部分」とは、前記ベース基板の平面視において前記個別半田付け領域と重なる部分のことであり、除去の態様としては、ベース基板の前記個別半田付け領域と重なる全領域を除去する場合だけでなく、例えば前記個別半田付け領域の外形形状（輪郭形状）と略一致するように除去したり、前記個別半田付け領域全体を含むように、つまり前記個別半田付け領域の外形形状よりも若干大きく除去しても良い。また、当該除去加工は、例えば、切削加工やエッチング加工により行うことができる。【０００８】
このような配線基板であれば、ベース基板において、配線導体層に設けられた個別半田付け領域に対応する部分の全部又は一部が除去されているので、個別半田付け領域に加えた熱が伝熱する部分を小さくして当該熱を逃げ難くすることができる。したがって、個別半田付け領域及び半田を十分に加熱することができ、電子部品又は外部導線を手作業や半田付けロボットで容易に半田付けできる。また、ベース基板の個別半田付け領域に対応する部分の全部又は一部を除去するだけで良く、配線基板の構成を簡略化することができる。さらに、外部導線を配線基板に手作業や半田付けロボットで半田付けするようにすれば、外部導線を接続するための接続コネクタをリフロー処理によって半田付けする必要が無くなるので、当該接続コネクタを不要にして、配線基板のコンパクト化を図ることができる。【０００９】
リフロー処理により半田付けできる電子部品（例えばＬＥＤや抵抗チップ等）については、リフロー処理で半田付けすればよい。このリフロー処理ではベース基板全体が加熱されるため、リフロー処理される電子部品の半田付け領域（リフロー半田付け領域）から周囲への伝熱を考える必要はない。このため、基本的に前記ベース基板において、リフロー半田付け領域に対応する部分は除去する必要はない。
一方で、リフロー処理により半田付けできない電子部品又は外部導線については、手作業や半田付けロボットで半田付けする必要がある。この手作業や半田付けロボットで半田付けする場合には、手作業で半田付けされる電子部品又は外部導線の半田付け領域（個別半田付け領域）が局所的に加熱されるため、当該個別半田付け領域から周囲への伝熱を考慮する必要がある。このため、前記ベース基板において、個別半田付け領域に対応する部分の全部又は一部を除去する必要がある。
つまり、本発明の配線基板がリフロー処理及び手半田処理されるものの場合には、前記ベース基板のリフロー半田付け領域に対応する部分は除去されておらず、前記ベース基板の個別半田付け領域に対応する部分の全部又は一部が除去されていることが望ましい。ただ、本発明は、リフロー半田付け領域も併せて除去することを何ら妨げるものではない。【００１０】
前記ベース基板の前記個別半田付け領域に対応する部分の平面視における全部又は一部について、前記ベース基板の厚み方向における全部分が除去されていても良い。
これならば、個別半田付け領域に加えた熱が伝熱する部分をより一層小さくすることができるので、個別半田付け領域を効率良く加熱することができ、電子部品の手作業による半田付けをより一層容易にすることができる。【００１１】
また、前記ベース基板の前記個別半田付け領域に対応する部分の平面視における全部又は一部について、前記ベース基板の厚み方向における一部分が除去されていても良い。
ベース基板の厚み方向における全部分を除去すると、ベース基板（配線基板）の機械的強度が低下する恐れがあるが、厚み方向における一部分の除去に留めておけば、機械的強度を一定レベル以上に保つことができる。【００１２】
この意味で、ベース基板の除去部分に、例えばエポキシ樹脂といった、当該ベース基板よりも熱伝導率が低い物質を充填するようにすれば、個別半田付け領域に加えられた熱を逃げ難くしつつ、配線基板の機械的強度の低下を防止することができる。【００１３】
なお、前記ベース基板は、アルミニウム又は銅からなることが望ましい。アルミニウムや銅の熱伝導率は、一般的にそれぞれ、２３７Ｗ／ｍＫ（３００Ｋ）、４０１Ｗ／ｍＫ（３００Ｋ）であり、高い熱伝導性（高い放熱性）を有するため、本発明の効果が一層顕著となる。【００１４】
前記個別半田付け領域で折り曲げられていることが望ましい。これならば、電子部品又は外部導線を手作業や半田付けロボットで容易に半田付けできるという効果に加えて、配線基板を折り曲げ易くすることができる。【００１５】
また、前記配線導体層が折り曲げられるものであり、前記ベース基板における折り曲げ部分の全部又は一部が除去されていることが望ましい。これならば、配線基板の折り曲げ部分において、ベース基板の全部又は一部が除去されているので、配線基板を折り曲げ易くすることができる。【００１６】
さらに、本発明に係る光照射装置は、上述した配線基板と、前記配線基板を保持する保持体と、前記配線基板に実装された少なくとも１つのＬＥＤと、前記配線基板の個別半田付け領域に半田付けされた外部導線とを備えることを特徴とする。そして、前記配線基板が、前記外部導線を前記ベース基板の一方の面側から他方の面側に延出させるための切り欠き部又は貫通孔を有しており、前記外部導線が、前記切り欠き部又は前記貫通孔を介して前記ベース基板の他方の面側に導かれ、前記保持体の外部に延出されていることが望ましい。【００１７】
従来の配線基板では、リフロー処理によって半田付けした接続コネクタを利用して外部導線を接続しているため、当該接続コネクタの配置スペースや、当該接続コネクタに接続される外部導線側のコネクタの配置スペース等により、外部導線を配線基板の側方に延出させる構成にせざるを得ない等、外部導線の取り回しに制約があった。
ところが、本発明によれば、外部導線を手作業や半田付けロボットで半田付けすることができるので、接続コネクタを不要にすることができる。これにより、外部導線を半田付けした部分の近傍から例えばベース基板の他方の面側に曲げることができる等、外部導線を取り回し易くなり、筐体における外部導線の延出部分を適宜設計することができる。
【発明の効果】
【００１８】
このように構成した本発明によれば、ベース基板の個別半田付け領域に対応する部分の全部又は一部が除去されているので、電子部品又は外部導線の手作業や半田付けロボットによる半田付けについてその作業性を大きく向上させることができる。
【符号の説明】
【００１９】
１００・・・光照射装置
２    ・・・配線基板
４    ・・・筐体（保持体）
６    ・・・外部導線
２１  ・・・ベース基板
２１Ｘ・・・個別半田付け領域に対応する部分
２２  ・・・絶縁層
２３  ・・・配線導体層
Ｒ２  ・・・個別半田付け領域
【図面の簡単な説明】
【００２０】
【図１】本発明の一実施形態に係る光照射装置を示す斜視図。
【図２】同実施形態の光照射装置を示す平面図。
【図３】同実施形態の光照射装置のＡ部分拡大平面図。
【図４】同実施形態の配線基板を示す平面図及び底面図。
【図５】同実施形態の配線基板の除去部分を示す部分拡大断面図。
【図６】同実施形態の配線基板の除去部分を示す部分拡大斜視図及び部分拡大平面図。
【図７】従来及び本実施形態の配線基板における伝熱経路を示す模式図。
【図８】配線基板の変形例を示す図。
【図９】配線基板の変形例を示す図。
【図１０】変形実施形態の光照射装置を示す斜視図。
【図１１】変形実施形態における配線基板の組み立て状態を示す斜視図。
【図１２】変形実施形態における配線基板の展開状態を示す平面図及び底面図。
【発明を実施するための形態】
【００２１】
以下に本発明に係る光照射装置の一実施形態について図面を参照して説明する。
【００２２】
本実施形態の光照射装置１００は、図１及び図２に示すように、複数のＬＥＤ３が実装された配線基板２と、当該配線基板２を収容する筐体（保持体）４とを備えている。本実施形態の光照射装置１００は、所謂リング型照明装置である。この光照射装置１００は、当該光照射装置１００により照明されたワークを、光照射装置１００の中央部に形成された開口部を介して、ＣＣＤカメラ等の撮像部により撮像して、ワークの外観検査を行う外観検査システムに用いられる。
【００２３】
筐体４は、配線基板２が固定される本体要素４１と、当該本体要素４１に取り付けられて、前記ＬＥＤ３からの光を外部に射出する光透過領域を有するカバー要素（不図示）とを備えている。
【００２４】
本実施形態の本体要素４１は、概略円環形状をなすものであり、径方向外側の外側周壁４１ａと径方向内側の内側周壁４１ｂとを有し、当該外側周壁４１ａ及び内側周壁４１ｂの間に形成される基板収容空間内に配線基板２が収容される。また、カバー要素は、概略円環形状をなすものであり、本体要素４１の外側周壁４１ａ及び内側周壁４１ｂにより形成される開口部を閉塞するものであり、ＬＥＤ３からの光を拡散して射出する光拡散部材を備えて構成されている。
【００２５】
配線基板２は、図２及び図４に示すように、本体要素４１の外側周壁４１ａ及び内側周壁４１ｂの間にガタ無く収容される概略円環形状をなすものであり、本体要素４１にねじ等により固定される。
【００２６】
具体的に配線基板２は、図４〜図６に示すように、金属からなるベース基板２１と、ベース基板２１の一方の面（上面）２１ａに絶縁層２２を介して形成される配線導体層２３とを備えたいわゆる単層基板である。また、配線導体層２３の上面には、レジスト層２４が形成されている。なお、本実施形態では、ベース基板２１及び配線導体層２３との間に単一の絶縁層２２のみが形成されているが、その他の複数の層が形成されたものであっても良い。
【００２７】
ベース基板２１は、例えばアルミニウムや銅等の高熱伝導性を有する金属から形成された概略円環状をなすものである。絶縁層２２は、ベース基板２１の上面２１ａ全体に亘って形成されている。この絶縁層２２は、金属製のベース基板２１と配線導体層２３との間を絶縁する機能を有する。
【００２８】
配線導体層２３は、配線基板２に実装されるＬＥＤ３や抵抗チップ５等の各種電子部品と外部導線６とを導通させるものであり、所定の配線パターンとなるように形成されている。そして、当該配線導体層２３には、電子部品又は外部導線６を半田付けするための半田付け領域Ｒ１、Ｒ２が設けられている。
【００２９】
具体的に配線導体層２３には、特に図４に示すように、電子部品がリフロー処理（リフロー装置）により半田付けされるリフロー半田付け領域Ｒ１と、外部導線が半田ごてを用いた手作業により半田付けされる個別半田付け領域である手半田付け領域Ｒ２とが設けられている。なお、リフロー半田付け領域Ｒ１及び手半田付け領域Ｒ２は、共に半田ランドにより構成されている。
【００３０】
リフロー半田付け領域Ｒ１は、半田ペースト（クリーム半田）を塗り、その上に所定の電子部品を載せて、リフロー炉を用いて半田ペーストを溶融させ、その後冷却することで、前記電子部品が半田付けされる領域である。本実施形態では、リフロー半田付け領域Ｒ１には、電子部品としてＬＥＤ３及び抵抗チップ５等が一括して半田付けされる。
【００３１】
手半田付け領域Ｒ２は、前記リフロー半田付け領域Ｒ１に所定の電子部品が半田付けされた後に、リフロー処理では半田付けできない電子部品等が半田ごてを用いた手作業で個別に半田付けされる領域である。本実施形態では、手半田付け領域Ｒ２には、外部導線６が半田付けされる。なお、この手半田付け領域Ｒ２には、半田付けロボットを用いて前記外部導線６等を半田付けしても良い。ここで半田付けロボットとしては、半田ごてを用いて半田付けを行うものや、半導体レーザを用いて半田付けを行うものが考えられる。
【００３２】
そして、配線基板２は、特に図２及び図３に示すように、手半田付け領域Ｒ２に半田付けされた外部導線６を、ベース基板２１の他方の面（下面）２１ｂ側に延出させるための切り欠き部２Ｋを有している。この切り欠き部２Ｋは、手半田付け領域Ｒ２に隣接する配線基板２の外縁部の一部を内側に切り欠いた形状である。本実施形態では、配線基板２が概略円板形状をなすものであり、切り欠き部２Ｋは、手半田付け領域Ｒ２の径方向外側に位置する外周部に形成されている。これにより、手半田付け領域Ｒ２に半田付けされた外部導線６の接続部分の近傍を折り曲げて、ベース基板２１の下面２１ｂ側に延出させることができる。そして、この外部導線６は、筐体４（具体的には本体要素４１）の内部を通って、当該本体要素４１の側壁を介して外部に延出される。なお、図４に示すように、配線基板２の外周部には、切り欠き部２Ｋの他に、本体要素４１にねじ固定するための固定用切り欠き部２Ｌが複数形成されている。
【００３３】
しかして本実施形態の配線基板２では、図４〜図６に示すように、ベース基板２１の半田付け領域に対応する部分の全部が除去されている。具体的には、ベース基板２１において、リフロー半田付け領域Ｒ１に対応する部分は除去されておらず、手半田付け領域Ｒ２に対応する部分２１Ｘの厚み方向における全部分が除去されているため、この部分におけるベース基板２１は無く、絶縁層２２及び配線導体層２３のみが有る構成となる。なお、前記部分２１Ｘは、手半田付け領域Ｒ２の下側部分（直下部分）であり、ベース基板２１の平面視において手半田付け領域Ｒ２全体を含むように、つまり手半田付け領域Ｒ２の外形形状よりも若干大きい外形形状を有している（特に図６の部分拡大平面図参照）。
【００３４】
次に、このように構成した配線基板２において外部導線６を手半田付け領域Ｒ２に手作業により半田付けする際の熱の伝達経路について簡単に説明する。なお、図７の（Ａ）は、従来構成の配線基板の熱の伝達経路を示し、（Ｂ）には、本実施形態の配線基板２の熱の伝達経路を示している。
【００３５】
図７の（Ａ）に示すように、従来構成の配線基板では、手半田付け領域Ｒ２の直下のベース基板２１が除去されていないので、半田ごてにより手半田付け領域Ｒ２に加えられた熱が、手半田付け領域Ｒ２の直下及びその周囲に伝わってしまう。その結果、手半田付け領域Ｒ２の温度が十分に上がらず、半田が溶融し難く、半田付けが困難になる。
【００３６】
一方、図７の（Ｂ）に示すように、本実施形態の配線基板２では、手半田付け領域Ｒ２の直下のベース基板２１が除去されているので、半田ごてにより手半田付け領域Ｒ２に加えられた熱が、手半田付け領域Ｒ２の直下に伝わらないし、除去部分の周囲にも伝わり難い。その結果、手半田付け領域Ｒ２の温度を十分に上げることができ、半田が溶融し易くなり、半田付けが容易となる。
【００３７】
次に、このように構成した配線基板２の製造方法について説明する。
まず、ベース基板２１の表面に絶縁膜２２を形成し、当該絶縁膜２２の表面に配線導体層２３をパターン形成する。また、配線基板２３の半田付け領域Ｒ１、Ｒ２を除く表面部分にレジスト膜２４を形成する。
【００３８】
そして、ベース基板２１の手半田付け領域Ｒ２に対応する部分の全部を、ベース基板２１の下面２１ｂから、切削加工（例えばルーター加工）又はエッチング加工により除去する。
【００３９】
＜本実施形態の効果＞
このように構成した本実施形態に係る光照射装置１００によれば、ベース基板２１において、配線導体層２３に設けられた手半田付け領域Ｒ２に対応する部分２１Ｘが除去されているので、手半田付け領域Ｒ２に加えた熱が伝熱する部分を小さくすることができる。したがって、手半田付け領域Ｒ２の加熱を十分にすることができ、外部配線６を手作業で容易に半田付けできる。また、ベース基板２１の手半田付け領域Ｒ２に対応する部分２１Ｘの全部を除去するだけで良く、配線基板２の構成を簡略化することができる。
【００４０】
さらに、外部導線６を接続するための接続コネクタをリフロー処理によって半田付けする必要が無く、外部導線６を手作業で半田付けすることができるので、接続コネクタを不要にすることができ、配線基板２及び光照射装置１００をコンパクト化することができる。その上、接続コネクタを不要にすることによって、外部導線６を半田付けした部分の近傍からベース基板２１の下面２１ｂ側に曲げることができるので、筐体４における外部導線６の延出部分を適宜設計することができる。
【００４１】
なお、本発明は前記実施形態に限られるものではない。
例えば、前記実施形態では、ベース基板２１の手半田付け領域Ｒ２に対応する部分２１Ｘが上面２１ａから下面２１ｂに亘って除去されているが、図８の（Ａ）に示すように、ベース基板２１の下面２１ｂから上面２１ａに向かって一部が除去された構造としても良い。このとき、ベース基板２１の下面２１ｂからの加工深さとしては、例えば、加工後のベース基板２１の厚さが０．３ｍｍ以下となるようにすることが考えられる。その他、ベース基板２１の上面２１ａから下面２１ｂに向かって一部が除去された構造としても良い。この他、図８の（Ｂ）に示すように、ベース基板２１の除去部分に、ベース基板２１よりも熱伝導率が低い物質２１Ｙ（例えばエポキシ樹脂等）を充填する（物質２１Ｙの充填厚みは何ら限定されない）ようにしても良く、このようにすれば、手半田付け領域Ｒ２に加えられた熱を逃げ難くしつつ、配線基板２３（ベース基板２１）の機械的強度の低下を防止することができる。
【００４２】
また、前記実施形態では、ベース基板２１の手半田付け領域Ｒ２に対応する部分２１Ｘの平面視における全部が除去された構成であったが、前記対応する部分２１Ｘの平面視における一部が除去された構成であっても良い。
【００４３】
例えば、図９の（Ａ）に示すように、平面視において前記対応する部分２１Ｘの外周部分のみを除去する構成としても良い。このとき、平面視において、前記対応する部分２１Ｘの外周部分が、手半田付け領域Ｒ２の輪郭を含んでいる。この構成でも、前記対応する部分２１Ｘの周辺部分に熱が伝わり難く、手半田付け領域Ｒ２を十分に加熱できるようになる。
【００４４】
一方、図９の（Ｂ）に示すように、平面視において前記対応する部分２１Ｘの複数箇所を部分的に除去する構成としても良い。図９の（Ｂ）では、手半田付け領域Ｒ２の所定方向に沿って除去部分が等間隔となるように構成されているが、除去部分が不規則に配置された構成としても良い。このとき、平面視において、前記除去部分が、手半田付け領域Ｒ２の輪郭の一部を含んでいる。この構成では、対応する部分２１Ｘ全体を除去した場合に比べて効果は小さくなるものの、手半田付け領域Ｒ２に加えた熱が伝熱する部分を小さくすることができる。
【００４５】
さらに、前記実施形態では、手半田付け領域Ｒ２に外部導線６を半田付けした構成としているが、手半田付け領域Ｒ２にＬＥＤ３や抵抗チップ５等の電子部品を半田付けした構成としても良い。なお、手半田付け領域Ｒ２にＬＥＤ３を半田付けした場合には、当該ＬＥＤ３により生じる熱を十分に放熱しないとも考えられるが、ＬＥＤ３により生じる熱の放熱性をある程度確保でき、且つ、半田付けの際に十分に加熱できる程度に前記対応する部分２１Ｘを除去すれば良い。
【００４６】
その上、前記実施形態では、対応する部分２１Ｘの除去態様は、ベース基板２１の厚み方向において除去部分が、等断面形状となるものであったが、これに限られず、前記厚み方向において除去部分の断面形状が、下面２１ｂから上面２１ａに行くに従って小さくなる又は大きくなるものであっても良い。
【００４７】
また、光照射装置１００は、図１０及び図１１に示すように、四角筒状をなす保持体４を有し、当該保持体４の内部に概略四角筒状に折り曲げられた配線基板２を有するものであっても良い。
【００４８】
この配線基板２は、図１２に示すように、実装部２ａと、通電可能かつ可撓性を有する接続部２ｂとを備えている。具体的に配線基板２は、４つの実装部２ａと、互いに隣り合う実装部２ａ，２ａ同士を通電可能に接続する可撓性を有する接続部２ｂとを備えている。実装部２ａは、接続部２ｂが接続される矩形状の矩形基板部２ａ１と、当該矩形基板部２ａ１の一辺から延び設けられた台形状の台形基板部２ａ２とを有する。また、矩形基板部２ａ１及び台形基板部２ａ２には、光源３が設けられている。
【００４９】
そして、配線基板２は、接続部２ｂを折り曲げることによって、四角筒状に構成される。また、矩形基板部２ａ１及び台形基板部２ａ２の間を折り曲げることによって、互いに隣接する台形基板部２ａ２の斜辺同士が隣接又は近接するとともに、上部に開口２Ｈが形成される。なお、この構成において、四角筒状の配線基板２の下部から光源３の光が射出される。
【００５０】
ここで、接続部２ｂと、矩形基板部２ａ１及び台形基板部２ａ２の間の折り曲げ部分２１Ｙにおいて、ベース基板２１の全部又は一部が除去されている。これにより、接続部２ｂの折り曲げ作業、及び矩形基板部２ａ１及び台形基板部２ａ２の折り曲げ作業を容易にしている。
【００５１】
また、１つの実装部２ａには、外部配線６が半田ごてを用いた手作業により半田付けされる個別半田付け領域Ｒ２が形成されている。具体的に個別半田付け領域Ｒ２は、実装部２ａの内面において、矩形基板部２ａ１及び台形基板部２ａ２の間に形成されている。ここで、ベース基板２１の個別半田付け領域Ｒ２に対応する部分の全部が除去されている。つまり、この実装部２ａにおいては、個別半田付け領域Ｒ２において折り曲げられる構成となる。これにより、電子部品又は外部導線を手作業や半田付けロボットで容易に半田付けできるという構成を生かしつつ、配線基板を折り曲げ易くすることができる。
【００５２】
その他、本発明は前記実施形態に限られず、その趣旨を逸脱しない範囲で種々の変形が可能である。
【産業上の利用可能性】
【００５３】
本発明によれば、金属からなるベース基板を用いた配線基板に、電子部品等を手作業や半田付けロボット等で半田付けするに当たり、その作業性を高めることができる。
【図１】
2016009830.tif 000003
【図２】
2016009830.tif 000004
【図３】
2016009830.tif 000005
【図４】
2016009830.tif 000006
【図５】
2016009830.tif 000007
【図６】
2016009830.tif 000008
【図７】
2016009830.tif 000009
【図８】
2016009830.tif 000010
【図９】
2016009830.tif 000011
【図１０】
2016009830.tif 000012
【図１１】
2016009830.tif 000013
【図１２】
2016009830.tif 000014
【国際調査報告】
2016009830.tif 000015
2016009830.tif 000016
2016009830.tif 000017
2016009830.tif 000018